(57)【要約】      （修正有）【課題】広告効果の大きな電子広告システムを提供する。【解決手段】表示パネル２ａに映像や情報から成る広告用デジタルコンテンツを表示するディスプレイ端末２と、ディスプレイ端末２のコントロール部に広告用デジタルコンテンツを供給するデジタルコンテンツ供給手段とを備えている。ディスプレイ端末２の表示パネル２ａは建物の一般用トイレ４の室内に、該トイレ４の便器６の使用者の視界の範囲内に位置して設置されている。前記便器６の便座６ａに体重計を設置し、該体重計の測定値に基づいて、排泄物重量演算回路５は、トイレ使用者の排泄物の量を演算し、該演算値を、ディスプレイ端末２の表示パネル２ａに広告用デジタルコンテンツとともに表示する。デジタルコンテンツ供給手段は、コンピュータにより構成され、該コンピュータに格納されたデジタルコンテンツが有線又は無線ネットワークを通じてディスプレイ端末２のコントロール部に供給される。【選択図】図１
2012042813.tif 000002
【特許請求の範囲】
【請求項１】
ディジタル技術を活用して表示パネルに映像や情報から成る広告用デジタルコンテンツを表示するディスプレイ端末と、該ディスプレイ端末のコントロール部に前記広告用デジタルコンテンツを供給するデジタルコンテンツ供給手段とを備え、前記ディスプレイ端末の表示パネルを建物の一般用トイレの室内に、該トイレの便器の使用者の視界の範囲内に位置して設置し、前記便器の便座に体重計を設置し、トイレ使用者の排泄前と後の体重測定値に基づいて、トイレ使用者の排泄物の量を演算し、該演算値を、前記ディスプレイ端末の表示パネルに前記広告用デジタルコンテンツとともに表示するようにしたことを特徴とする電子広告システム。
【請求項２】
トイレ使用者の排尿後と排便後の体重測定値に基づいて、トイレ使用者の大便の量を演算し、該演算値を、前記ディスプレイ端末の表示パネルに前記広告用デジタルコンテンツとともに表示するようにしたことを特徴とする請求項１に記載の電子広告システム。
【請求項３】
前記デジタルコンテンツ供給手段は、コンピュータにより構成され、該コンピュータに格納されたデジタルコンテンツが有線又は無線ネットワークを通じて前記ディスプレイ端末のコントロール部に供給されるようにしたことを特徴とする請求項１に記載の電子広告システム。
【請求項４】
前記デジタルコンテンツ供給手段は、デジタルコンテンツを格納したメモリにより構成され、該メモリを前記ディスプレイ端末のコントロール部に接続することで、前記デジタルコンテンツを前記ディスプレイ端末の表示パネルに表示するようにしたことを特徴とする請求項１に記載の電子広告システム。
【請求項５】
前記ディスプレイ端末の表示パネルにデジタルコンテンツとともに、該コンテンツに関連する携帯電話で受信可能なＵＲＬ情報を発信し、前記表示パネルにタッチした携帯電話を該表示パネルから受信したＵＲＬのインターネットサイトへ誘導するようにしたことを特徴とする請求項１に記載の電子広告システム。
【発明の詳細な説明】
【技術分野】
【０００１】
本発明は、デジタル通信で広告表示内容をいつでも受信することができ、内部記憶装置に多数の広告表示情報を保持することで必要ならば秒単位で表示内容を切り替えたり動画表示を行うなど多様な映像広告を展開することができる電子広告システムに関する。
【背景技術】
【０００２】
表示と通信にディジタル技術を活用して平面ディスプレイやプロジェクタなどによって映像や情報を表示する広告媒体が電子ＰＯＰあるいはデジタルサイネージとして従来知られている。
また、トイレの利用者に広告やニュース等の通常の番組を閲覧させるとともに、緊急事態発生時にはトイレ設置場所を考慮した適切なメッセージを表示して緊急事態を通知することを目的としたトイレ用情報表示装置及びシステムが従来知られている（例えば特許文献１参照）。
また、便座に座ると体重が測定され表示されるようにした体重計付便座が従来知られている（例えば特許文献２参照）。
【先行技術文献】
【特許文献】
【０００３】
【特許文献１】特開２００４−１４１４１７号公報
【特許文献２】特開２００３−７０６８８号公報
【発明の概要】
【発明が解決しようとする課題】
【０００４】
電子ＰＯＰあるいはデジタルサイネージのディスプレイ端末は、その表示パネルの設置場所によって広告効果が大きく左右される。
本発明の主たる目的は、静かな閉鎖空間であること、１人で着座するスペースであること、心身共にリラックスする場所であること、広告の視聴者が手持ちぶさたな状態にある場所であること、視聴者の性別が１００％特定できる場所であるという条件を満たす情報伝達に適したトイレという環境に注目し、トイレ内に広告コンテンツと、トイレ使用者のダイエット情報としての排泄物の量を表示する表示パネルを設置し、表示パネルにトイレ使用者の関心を向けさせ大きな広告宣伝効果を得ることを目的とする。
【課題を解決するための手段】
【０００５】
上記目的を達成するため、本発明は、ディジタル技術を活用して表示パネルに映像や情報から成る広告用デジタルコンテンツを表示するディスプレイ端末と、該ディスプレイ端末のコントロール部に前記広告用デジタルコンテンツを供給するデジタルコンテンツ供給手段とを備え、前記ディスプレイ端末の表示パネルを建物の一般用トイレの室内に、該トイレの便器の使用者の視界の範囲内に位置して設置し、前記便器の便座に体重計を設置し、トイレ使用者の排泄前と後の体重測定値に基づいて、トイレ使用者の排泄物の量を演算し、該演算値を、前記ディスプレイ端末の表示パネルに前記広告用デジタルコンテンツとともに表示するようにしたことを特徴とする。
また本発明は、トイレ使用者の排尿後と排便後の体重測定値に基づいて、トイレ使用者の大便の量を演算し、該演算値を、前記ディスプレイ端末の表示パネルに前記広告用デジタルコンテンツとともに表示するようにしたことを特徴とする。
また本発明は、前記デジタルコンテンツ供給手段は、コンピュータにより構成され、該コンピュータに格納されたデジタルコンテンツが有線又は無線ネットワークを通じて前記ディスプレイ端末のコントロール部に供給されるようにしたことを特徴とする。
また本発明は、前記デジタルコンテンツ供給手段は、デジタルコンテンツを格納したメモリにより構成され、該メモリを前記ディスプレイ端末のコントロール部に接続することで、前記デジタルコンテンツを前記ディスプレイ端末の表示パネルに表示するようにしたことを特徴とする。
また本発明は、前記ディスプレイ端末の表示パネルにデジタルコンテンツとともに、該コンテンツに関連する携帯電話で受信可能なＵＲＬ情報を発信し、前記表示パネルにタッチした携帯電話を該表示パネルから受信したＵＲＬのインターネットサイトへ誘導するようにしたものである。
【発明の効果】
【０００６】
本発明はトイレという１人で着座し心身共にリラックスし、手持ちぶさたな状態の一般のトイレ利用者に、表示パネルから映像広告を静かな閉鎖空間内で強制的に見せることができるので、広告効果を飛躍的に高めることができる。
しかも、排泄物の量を表示パネルに表示してダイエットに関心のあるトイレ利用者の注目を表示パネルに向かせることができるので、この点でも、広告効果を飛躍的に高めることができる。
【図面の簡単な説明】
【０００７】
【図１】本発明の説明図である。
【図２】本発明の説明図である。
【図３】本発明の説明図である。
【図４】本発明の説明図である。
【図５】本発明の説明図である。
【図６】本発明の説明図である。
【図７】本発明の説明図である。
【発明を実施するための形態】
【０００８】
以下に本発明の構成を添付した図面を参照して詳細に説明する。
図１は本発明に係る電子広告システムのディスプレイ端末（２）を、空港、マンション、ビルなどの建物の、不特定の人が利用可能な一般用トイレ（４）の室内に設置した状態を示している。ディスプレイ端末（２）の表示パネル（２a）は、トイレ（４）内の便器（６）の利用者（８）の視界に入る位置に設置されている。
【０００９】
便器（６）の便座（６ａ）には、体重計が設置されている。使用者が便座（６ａ）に座り、体重をかけると、便座（６ａ）の脚部（７）にある重量センサ（図示省略）が体重に応じて歪むことになる。その歪み量に応じて重量センサの出力電圧が変化し、その出力電圧を演算回路（１３）が演算することで、使用者の体重が測定できることになる。演算回路（１３）は便座蓋（６ｂ）が開いた状態にあり、便座（６ａ）が降りている無負荷状態のときに、測定値がゼロにリセットされるように構成されている。
【００１０】
ディスプレイ端末（２）には、排泄物演算回路（５）が設けられている。排泄物演算回路（５）はサンプリング回路を内蔵し、演算回路（１３）に保持されているトイレ使用者の体重を一定時間間隔でサンプリングし、１回目の体重測定値を初期値とする。排泄物演算回路（５）は、この初期値と２回目以降の体重測定値とを比較し、両者のあいだの差分をトイレ使用者の排泄物の量として、表示パネル（２ａ）の表示部（２ｂ）に、表示パネル（２ａ）の他の表示部に表示される広告コンテンツとともに、時系列的に表示する。
【００１１】
表示パネル（２ａ）の表示部（２ｂ）には、大便のみの量を表示したいときは、便器の操作パネル（９）に設置してあるスイッチ（１１）を排尿後に押して下さいというメッセージが表示される。トイレ使用者が排尿後にスイッチ（１１）を押すと、排泄物演算回路（５）は、スイッチ（１１）が押された後のトイレ使用者の体重を初期値とする。排泄物演算回路（５）は、この初期値とスイッチ（１１）オン以降の体重測定値とを比較し、両者のあいだの差分をトイレ使用者の大便の排泄量として、表示パネル（２ａ）の表示部（２ｂ）に、表示パネル（２ａ）の他の表示部に表示される広告コンテンツとともに、時系列的に表示する。
【００１２】
ディスプレイ端末（２）は、コントロール部とディジタル通信路を備え、表示と通信にディジタル技術を活用して表示パネル（２a）に映像や情報を表示するものである。表示パネル（２a）に表示される映像・静止画を含む広告用デジタルコンテンツは建物の管理室などに配置されたパソコン（１０）に格納されており、図２に示すように、インターネット（１２）、コンテンツ送出サーバ（１４）、商標名ＷiＭＡＸ、ＷiーＦiなどの無線ＬＡＮや、有線ＬＡＮを通じて、建物の中の複数のトイレ内の各ディスプレイ端末（２）に配信されるように構成されている。
尚、本発明において、排泄物や大便の量を演算する構成は、上記実施形態に示す構成に特に限定されるものではなく、種々の構成を採用することができる。
【００１３】
また、図３に示すようにパソコン（１０）に格納した各種広告用デジタルコンテンツ（１６）をインターネット（１２）、送出サーバ（１４）、商標名ＷiＭＡＸなどの無線ＬＡＮを通じて、距離的に離れた場所のトイレ内に設置されたディスプレイ端末（２）に配信することもできるように構成されている。
【００１４】
広告用デジタルコンテンツ配信用のパソコン（１０）には、コンテンツ作成ソフトが格納されており、このソフトを利用して、本システムのユーザーは、パソコン（１０）上で、所望のデジタルコンテンツを作成することができる。このコンテンツ作成の要領は、図５に示すように、ユーザーはステップ１でパソコン（１０）の操作でブラウザを起動し、サイネージ管理画面（１８）にログインする。
【００１５】
次に、ステップ２でコンテンツを作成するサイネージ（電子看板）を選択する。次にステップ３で選択したサイネージに用意されているコンテンツテンプレート（２０）からイメージに合うものを選ぶ。次にステップ４でテンプレート（２０）の各情報表示場所に動画や写真、文章などのデータ（２２）を設定する。このように情報の登録、コンテンツの作成が完了し、設定した同期時間になると、ステップ５で、サイネージブラウザが自動的にサーバー（１４）上のコンテンツと同期し、広告用デジタルコンテンツが、ディスプレイ端末（２）の表示パネル（２ａ）に表示される。
【００１６】
尚、上記実施形態は、インターネットなどのネットワークを通じてディスプレイ端末（２）に広告用デジタルコンテンツが配信される構成となっているが、本システムは、この構成に特に限定されるものではなく、図４に示すようにディスプレイ端末（２）のコントロール部に、広告用デジタルコンテンツが格納されたメモリ（２４）を差し込むことで、広告用デジタルコンテンツをディスプレイ端末（２）の表示パネルに表示するようにしても良い。
【００１７】
また、ディスプレイ端末（２）に、商標名FeliCa対応のリーダーを取り付け、トイレ使用者が携帯電話をリーダーにかざすだけで、この携帯電話ＵＲＬ送信が行われるようにするとともに、管理サーバーでログを管理し、トイレ使用者の携帯電話を指定したケイタイサイトへ誘導するようにしても良い。
【００１８】
また、図６に示すように、ディスプレイ端末２の表示パネル（２a）に表示される広告用デジタルコンテンツに連動したＵＲＬ情報を、表示パネル（２a）の画面から発信し、トイレ使用者の携帯電話を表示パネル（２a）にタッチすることで、この携帯電話ＵＲＬ送信が行われるようにするとともに、管理サーバーブログを管理し、携帯電話を指定したケイタイサイトへ誘導するようにしても良い。
【００１９】
図７は、空港トイレにディスプレイ端末を設置した実施形態を示している。本システムの運用会社事務所には、コンテンツ編集用コンピュータ（２６）とリモートソフトウェアがインストールされた管理用のパソコン（２８）が配置され、空港サーバ室には、メディア送出用のサーバー（３０）が配置され、トイレ内各ブースには、ＳＴＢ（３２）と分配器（３４）が配置されている。
【００２０】
管理用パソコン（２８）と編集用コンピュータ（２６）は、中継器（３６）を介して互いに接続するとともに管理用パソコン（２８）と編集用コンピュータ（２６）は、中継器（３６）を介し、インターネット（３６）を通じてメディア送出用のサーバ（３０）に接続している。
【００２１】
編集用コンピュータ（２６）で作成された広告用デジタルコンテンツは、インターネット（１２）を通じて送出用サーバ（３０）に配信され、送出用サーバ（３０）は、デジタルコンテンツを、再生スケジュールに応じて、中継器（３８）、ＳＴＢ（３２）、分配器（３４）を通じて各トイレの室内のディスプレイ端末に供給され、広告用デジタルコンテンツがディスプレイ端末の表示パネルに表示される。  
【符号の説明】
【００２２】
２      ディスプレイ端末
２a    表示パネル
４      トイレ
５      排泄物重量演算回路
６      便器
６ａ    便座
６ｂ    便座蓋
８      利用者
９      操作パネル
１０    パソコン
１１    スイッチ
１２    インターネット
１３    体重演算回路
１４    送出サーバ
１６    広告用デジタルコンテンツ
１８    サイネージ管理画面
２０    コンテンツプレート
２２    データ
２４    メモリ
２６    コンピュータ
２８    パソコン
３０    メディア送出サーバー
３２    ＳＴＢ
３４    分配器
３６    中継器
３８    中継器
【図１】
2012042813.tif 000003
【図２】
2012042813.tif 000004
【図３】
2012042813.tif 000005
【図４】
2012042813.tif 000006
【図５】
2012042813.tif 000007
【図６】
2012042813.tif 000008
【図７】
2012042813.tif 000009